(57)【要約】【課題】取付けが容易で、且つ、取付け後のずれなども防止できるコネクタ一体型スイッチを提供する【解決手段】このコネクタ一体型スイッチＡは、スイッチ機構１０を内部に収納すると共にコネクタ１２が一体に成形されたハウジング１と、ハウジング１から延出され所定の取付部位にスライド自在に装着可能なスライドガイド部２と、ハウジング１から延出され、スライドガイド部２が所定の取付部位に装着された際に所定の取付部位に設けられた凹所に嵌合するように形成された爪部３とを備える。【選択図】図１
2007258098.tif 000002
【特許請求の範囲】
【請求項１】
スイッチ機構に電気接続用のコネクタが一体に成形されたコネクタ一体型スイッチであって、
前記スイッチ機構を内部に収納すると共に前記コネクタが一体に成形されたハウジングと、
前記ハウジングから延出され所定の取付部位にスライド自在に装着可能なスライドガイド部と、
前記ハウジングから延出され、前記スライドガイド部が前記所定の取付部位に装着された際に前記所定の取付部位に設けられた凹所に嵌合するように形成された爪部とを備えることを特徴とするコネクタ一体型スイッチ。
【請求項２】
前記スライドガイド部は、前記ハウジングの一つの側面の一対の対辺から延出され先端が前記ハウジングの前記一つの側面と所定の間隔で対向する一対の略Ｌ字形のガイド片からなり、前記所定の取付部位が前記ハウジングの前記一つの側面と前記一対のガイド片との間に挿入されるように構成され、
前記爪部は、このコネクタ一体型スイッチのスライド方向に面した前記ハウジングの一面から延出されることを特徴とする請求項１記載のコネクタ一体型スイッチ。
【請求項３】
前記スライドガイド部は、前記ハウジングの側面から延出された第１ガイド片と、前記第１ガイド片と所定の間隔を有するように前記ハウジングから延出された第２ガイド片とからなり、前記所定の取付部位が前記第１ガイド片と前記第２ガイド片との間に挿入されるように構成され、
前記爪部は、このコネクタ一体型スイッチのスライド方向に面した前記ハウジングの一面から延出されることを特徴とする請求項１記載のコネクタ一体型スイッチ。
【請求項４】
前記スイッチ機構は、スイッチをオン／オフするための操作レバーを有し、
前記第１ガイド片は、前記操作レバーの周囲となる前記ハウジングの側面から延出されることを特徴とする請求項３記載のコネクタ一体型スイッチ。
【請求項５】
スイッチ機構に電気接続用のコネクタが一体に成形されたコネクタ一体型スイッチの製造方法であって、
このコネクタ一体型スイッチは、前記スイッチ機構を内部に収納すると共に前記コネクタが一体に成形されたハウジングと、前記ハウジングから延出され所定の取付部位にスライド自在に装着可能なスライドガイド部と、前記ハウジングから延出され、前記スライドガイド部が前記所定の取付部位に装着された際に前記所定の取付部位に設けられた凹所に嵌合するように形成された爪部とを備え、
前記スライドガイド部は、前記ハウジングを上金型と下金型とを用いて成形した後、成形されたハウジングから不要な部位を除去して形成されることを特徴とするコネクタ一体型スイッチの製造方法。
【請求項６】
スイッチ機構に電気接続用のコネクタが一体に成形されたコネクタ一体型スイッチの取付構造であって、
このコネクタ一体型スイッチは、前記スイッチ機構を内部に収納すると共に前記コネクタが一体に成形されたハウジングと、前記ハウジングから延出され所定の取付部位にスライド自在に装着可能なスライドガイド部と、前記ハウジングから延出され、前記スライドガイド部が前記所定の取付部位に装着された際に前記所定の取付部位に設けられた凹所に嵌合するように形成された爪部とを備え、
前記取付部位は、板状の部材であって、前記コネクタ一体型スイッチが装着される側の側縁に、前記スライドガイド部を誘い込むテーパー部を有することを特徴とするコネクタ一体型スイッチの取付構造。
【発明の詳細な説明】
【技術分野】
【０００１】
この発明は、スイッチにコネクタが一体に成形されたコネクタ一体型スイッチ、およびその製造方法、その取付構造に関する。
【背景技術】
【０００２】
従来、自動車などに用いられるスイッチは、スイッチからハーネスが延出され、ハーネスの先端に電気接続用のコネクタが接続されている（例えば特許文献１参照）。図１６は、そのようなスイッチの一例である。このスイッチは、スイッチ本体１００から複数のハーネス１０２が延出され、ハーネス１０２の先端に、別のハーネスに接続されたコネクタと嵌合されるコネクタ１０４が接続されている。ハーネス１０２は保護チューブ１０６で覆われている。このスイッチは、スイッチ本体１００にネジ止め用の孔１０８を有し、ネジ１１０および平座金１１２、ばね座金１１４などを用いて所定の場所にネジ止めされ、固定される。
【０００３】
このように、ハーネスを介してコネクタと接続されたスイッチは、ハーネスの形を自在に変えることができるため、様々な場所にフレキシブルに取り付けられるという利点を有している。
【特許文献１】特開平８−１８８１７５号公報（第２図）
【発明の開示】
【発明が解決しようとする課題】
【０００４】
一方、スイッチの取付場所によっては、フレキシブルなハーネスを必要としない場合もあり、部品点数の多いハーネスを削除したコネクタ一体型のスイッチが求められている。
【０００５】
そこで、図１７に示すように、図１６の構成からハーネス１０２を省略し、スイッチ本体１００とコネクタ１０４とを一体に成形することが考えられる。
【０００６】
この図１７に示したコネクタ一体型のスイッチ２００は、ハーネス１０２がなくなった分、部品を点数を削減することができるが、このスイッチ２００を所定の場所に固定するためには、以前としてネジ１１０や、平座金１１２、ばね座金１１４、ネジロック（図示せず）などを用いる必要があり、さらなる部品点数の削減が望まれる。
【０００７】
また、ネジによる固定は、取付け時にネジ締め工程が発生し、トルクの管理が必要となったり、また自動車のボンネットなど奥まった場所へは、ネジによる取付が困難であるという問題もあった。
【０００８】
本発明は上記問題点に鑑みて為されたものであって、その目的とするところは、取付けが容易で、且つ、取付け後のずれなども防止できるコネクタ一体型スイッチを提供することにある。
【課題を解決するための手段】
【０００９】
本発明のコネクタ一体型スイッチは、スイッチ機構に電気接続用のコネクタが一体に成形されたコネクタ一体型スイッチであって、前記スイッチ機構を内部に収納すると共に前記コネクタが一体に成形されたハウジングと、前記ハウジングから延出され所定の取付部位にスライド自在に装着可能なスライドガイド部と、前記ハウジングから延出され、前記スライドガイド部が前記所定の取付部位に装着された際に前記所定の取付部位に設けられた凹所に嵌合するように形成された爪部とを備える。
【００１０】
従って、本発明のコネクタ一体型スイッチは、前記スライドガイド部により、所定の取付部位にスライドさせるだけで容易に装着することができ、ネジ止めが困難な奥まった場所や、手元が見えにくい場所などにも容易に取り付けることができる。また、スライド構造のため、装着後のがたつきを極力抑えることができる。さらに、本発明のコネクタ一体型スイッチは爪部を有しているので、爪部によりコネクタ一体型スイッチの装着後のずれなどを防止することができる。また、ボス固定による取付構造と比較して、強度を上げることもできる。
【００１１】
取付部位が巾の狭い板状の部材の場合、好ましくは、前記スライドガイド部は、前記ハウジングの一つの側面の一対の対辺から延出され先端が前記ハウジングの前記一つの側面と所定の間隔で対向する一対の略Ｌ字形のガイド片からなり、前記所定の取付部位が前記ハウジングの前記一つの側面と前記一対のガイド片との間に挿入されるように構成され、前記爪部は、このコネクタ一体型スイッチのスライド方向に面した前記ハウジングの一面から延出される。
【００１２】
取付部位がコネクタ一体型スイッチ取り付け用の凹部を有している場合は、好ましくは、前記スライドガイド部は、前記ハウジングの側面から延出された第１ガイド片と、前記第１ガイド片と所定の間隔を有するように前記ハウジングから延出された第２ガイド片とからなり、前記所定の取付部位が前記第１ガイド片と前記第２ガイド片との間に挿入されるように構成され、前記爪部は、このコネクタ一体型スイッチのスライド方向に面した前記ハウジングの一面から延出される。
【００１３】
前記スイッチ機構がスイッチをオン／オフするための操作レバーを有する場合、前記第１ガイド片は、前記操作レバーの周囲となる前記ハウジングの側面から延出されるのが好ましい。この場合、前記第１ガイド片により、コネクタ一体型スイッチの装着時に操作レバーに外力が加わるのを防止でき、操作レバーを保護することができる。
【００１４】
上記のようなコネクタ一体型スイッチを製造する場合、好ましくは、前記スライドガイド部は、前記ハウジングを上金型と下金型とを用いて成形した後、成形されたハウジングから不要な部位を除去して形成される。この場合、スライドガイド部の形成時にスライドコアが不要となり、スライドガイド部を形成しやすい。
【００１５】
また、上記のようなコネクタ一体型スイッチの取付構造としては、前記取付部位は、板状の部材であって、前記コネクタ一体型スイッチが装着される側の側縁に、前記スライドガイド部を誘い込むテーパー部を有するのが好ましい。この場合、取付部位にコネクタ一体型スイッチをより一層取り付けやすくなり、例えば手元が見えにくい場合でも容易に取り付けることが可能となる。
【発明の効果】
【００１６】
上述したように、本発明のコネクタ一体型スイッチは、ネジなどを用いなくても所定の取付部位にスライドするだけで容易に装着することができ、さらに装着後のずれやがたつきも防止することができる。
【発明を実施するための最良の形態】
【００１７】
以下、本発明を図面を用いて詳細に説明する。
（実施形態１）
図１（ａ）〜（ｄ）に本発明の実施形態１に係るコネクタ一体型スイッチを示す。このコネクタ一体型スイッチＡは、スイッチ機構に電気接続用のコネクタが一体に成形されたコネクタ一体型スイッチであり、スイッチ機構１０を内部に収納すると共にコネクタ１２が一体に成形されたハウジング１と、ハウジング１から延出され所定の取付部位にスライド自在に装着可能なスライドガイド部２と、ハウジング１から延出され、スライドガイド部２が所定の取付部位に装着された際に所定の取付部位に設けられた凹所に嵌合するように形成された爪部３とを備える。
【００１８】
ハウジング１は合成樹脂成形品であり、スイッチ機構１０を収納するスイッチ機構ハウジング１０ａと、コネクタ１２の端子１２ｂを収納するコネクタハウジング１２ａとが一体に成形されている。
【００１９】
スイッチ機構１０は操作レバー１０ｂを有し、操作レバー１０ｂにより接点をオン／オフする既知のスイッチ機構である。なお、スイッチ機構１０の構成は、そのような操作レバー１０ｂを有するスイッチ機構に限定されるものではない。
【００２０】
コネクタ１２は、スイッチ機構１０と電気的に接続された端子１２ｂを２つ備え、端子１２ｂの周囲が有底筒状のコネクタハウジング１２ａによって覆われている。なお、端子１２ｂの数やコネクタハウジング１２ａの形状は図１のものに限定されるものではない。
【００２１】
スライドガイド部２は、一対の略Ｌ字形のガイド片２ａからなる。ガイド片２ａは、ハウジング１（スイッチ機構ハウジング１０ａ）の一つの側面１ａの一対の対辺から側面１ａに対して垂直に延出された基部２０ａと、基部２０ａの長手方向の両端部からさらに側面１ａと平行となるように延出された先端部２０ｂとからなる。すなわち、ガイド片２ａは、ハウジング１の一つの側面１ａの一対の対辺から延出され先端がハウジング１の前記一つの側面１ａと所定の間隔で対向する略Ｌ字形である。詳しくは後述するように、所定の取付部位は、ハウジング１の側面１ａと一対のガイド片２ａとの間に挿入される。
【００２２】
爪部３は、このコネクタ一体型スイッチＡのスライド方向（図１（ｅ）における左方向）に面したハウジング１の一面１ｂから延出され、先端がガイド片２ａの方向に突出している。
【００２３】
以上のように構成されたコネクタ一体型スイッチＡは、図２に示すように、幅が狭い板状の取付部材５０に取り付けられる。取付部材５０は、金属や合成樹脂により形成され、コネクタ一体型スイッチＡが装着された際に爪部３と対面する位置に孔（凹所）５１が設けられている。コネクタ一体型スイッチＡは、取付部材５０がハウジング１の側面１ａと一対のガイド片２ａとの間に挿入されるように取付部材５０にスライド挿入され、図３（ａ）〜（ｃ）に示すように、爪部３が孔５１に嵌合すると取付けが完了する。
【００２４】
図３（ａ）〜（ｃ）に示すように、コネクタ一体型スイッチＡの取付け後は、ハウジング１の側面１ａが取付部材５０の一面と接触し、一対のガイド片２ａが取付部材５０の長手方向に沿った側縁および他面を抱きかかえるように保持している。また、爪部３が孔５１に嵌合しており、コネクタ一体型スイッチＡがスライド方向の前後へずれることがない。
【００２５】
以上のように、本実施形態のコネクタ一体型スイッチＡは、スライドガイド部２により、所定の取付部位にスライドさせるだけで容易に装着することができ、例えば図４に示すようなネジ止めが困難な奥まった場所や、手元が見えにくい場所などにも容易に取り付けることができる。なお、図４に示すように、コネクタ一体型スイッチＡに予め接続先のハーネス１０２を取り付けた状態でコネクタ一体型スイッチＡを取付部位５０に取り付けることも可能である。また、スライド構造のため、取付部材５０の幅と厚みを、ガイド片２ａの基部２０ａ間の距離と、ガイド片２ａの先端部２０ｂとハウジングの側面１ａとの間の距離にそれぞれ合わせておくことで、装着後のがたつきを極力抑えることができる。さらに、爪部３が取付部材５０の孔５１（凹所５１）に嵌合することで、装着後のスライド方向へのずれや、抜けを防止することができる。
【００２６】
ところで、コネクタ一体型スイッチＡの製造方法に関して、スライドガイド部２は、ハウジングを上金型と下金型とを用いて成形した後、成形されたハウジングから不要な部位を除去して形成されるのが好ましい。
【００２７】
例えば、本実施形態のコネクタ一体型スイッチＡは、図５に示した上金型６１と下金型６２を用いてハウジングの原型を成形した後、図６（ａ）〜（ｄ）に示すように、そのハウジングの原型から、ハッチング部分６３ａ〜６３ｅを除去することで、スライドガイド部２を形成することができる。なお、図７（ａ）、（ｂ）は、ハッチング部分６３ａ〜６３ｅを除去した後の、ハウジング１（スイッチ機構ハウジング１０ａとコネクタハウジング１２ａ）および、スライドガイド部２（ガイド片２ａ）を示している。
【００２８】
この場合、スライドガイド部２の形成にスライドコアが不要となり、スライドガイド部２の製造が容易となる（ただし、コネクタ１２の形成にはスライドコアは必要である。）。
【００２９】
（実施形態２）
図８に本発明の実施形態２に係るコネクタ一体型スイッチを示す。このコネクタ一体型スイッチＢの基本構成は実施形態１のコネクタ一体型スイッチＡと共通であり、共通する部分については同じ符号を付して重複する説明は省略する。このコネクタ一体型スイッチＢは、実施形態１のこのコネクタ一体型スイッチＡに対して、スライドガイド部と爪部の構成が異なっている。
【００３０】
本実施形態のスライドガイド部５は、ハウジング１の一対の両側面から延出された第１ガイド片５ａと、第１ガイド片５ａと所定の間隔を有するようにハウジング１から延出された第２ガイド片５ｂとからなり、図９に示すように凹部７１を有する板状の取付部位７０が、ハウジング１の両側で第１ガイド片５ａと第２ガイド片５ｂとの間に挿入されるように構成される。本実施形態の第１ガイド片５ａは、ハウジング１の側面の中央部に設けられ、第２ガイド片５ｂは、ハウジング１の前記側面においてスライド方向（図８における左方向）の両端に設けられている。換言すれば、第１ガイド片５ａと第２ガイド片５ｂは、ハウジング１の一対の両側面において、所定の間隔を有しながら互い違いに配置されている。
【００３１】
本実施形態の爪部６は、第２ガイド片５ｂと同じ平面上で、コネクタ一体型スイッチＢのスライド方向に面したハウジング１の一面から延出され、先端が第１ガイド片５ａの方向に突出している。
【００３２】
以上のように構成されたコネクタ一体型スイッチＢは、図９に示すように、前述の凹部７１を有する板状の取付部材７０に取り付けられる。取付部材７０は、金属や合成樹脂により形成され、コネクタ一体型スイッチＢが装着された際に爪部６と対面する位置に孔（凹所）７２が設けられている。凹部７１の幅はスイッチ機構ハウジング１０ａの幅と略同じに形成され、凹部７１の深さはスイッチ機構ハウジング１０ａの長さと略同じに形成され、コネクタ一体型スイッチＢは、取付部材７０を第１ガイド片５ａと第２ガイド片５ｂとの間に挿入しながら凹部７１にスライド挿入され、爪部６が孔７２に嵌合すると取付けが完了する。
【００３３】
図１０（ａ）、（ｂ）に示すように、コネクタ一体型スイッチＢの取付け後は、スイッチ機構ハウジング１０ａが凹部７１に嵌合されると共に、第１ガイド片５ａが取付部材７０の一面を保持し、第２ガイド片５ｂが取付部材７０の他面を保持し、爪部６が孔７２に嵌合される。
【００３４】
以上のように、本実施形態のコネクタ一体型スイッチＢも、第１実施形態のコネクタ一体型スイッチＡと同様に、スライドガイド部５により、所定の取付部位にスライドさせるだけで容易に装着することができ、ネジ止めが困難な場所や、手元が見えにくい場所などにも容易に取り付けることができる。また、取付部材７０の凹部７１の幅や長さを、ハウジング１（スイッチ機構ハウジング１０ａ）の幅や長さに合わせておくと共に、取付部材７０の厚さを第１ガイド片５ａと第２ガイド片５ｂとの間の距離に合わせておくことで、装着後のがたつきを極力抑えることができる。さらに、爪部６が取付部材７０の孔７２に嵌合するので、装着後のコネクタ一体型スイッチＢのスライド方向へのずれや、抜けを防止することができる。
【００３５】
コネクタ一体型スイッチＢの製造方法に関しては、スライドガイド部５は、ハウジングを上金型と下金型とを用いて成形した後、成形されたハウジングから不要な部位を除去して形成されるのが好ましい。
【００３６】
例えば、本実施形態のコネクタ一体型スイッチＢは、図１１に示した上金型８１と下金型８２を用いてハウジングの原型を成形した後、図１２（ａ）〜（ｃ）に示すように、そのハウジングの原型から、ハッチング部分８３ａ〜８３ｅを除去することで、スライドガイド部５を形成することができる。なお、図１３は、ハッチング部分８３ａ〜８３ｅを除去した後の、ハウジング１（スイッチ機構ハウジング１０ａとコネクタハウジング１２ａ）および、第１ガイド片５ａおよび第２ガイド片５ｂ、爪部６を示している。なお、図１１の上金型８１および下金型８２においては、上金型８１と下金型８２とによって取付部材７０のガイド部分を分割して形成しているため、取付部材７０の取り付け時に引っ掛かりが生じる恐れがある。そのような引っ掛かりは、図１１中、番号８３で示した箇所のように、第１ガイド片５ａおよび第２ガイド片５ｂのスライド方向（図１１における左方向）側の端面にテーパーを設けておけば解消することができる。
【００３７】
このように、上金型８１と下金型８２を用いてハウジングの原型を成形した後、そのハウジングの原型から、不要部分を除去してスライドガイド部５を形成することで、スライドガイド部５の形成にスライドコアが不要となり、スライドガイド部５の製造が容易となる。
【００３８】
なお、第１ガイド片５ａおよび第２ガイド片５ｂを設ける位置は、上述の位置に限定されるものではなく、例えば、図１４および図１５に示すように、第１ガイド片５ａを、ハウジング１の一対の両側面の厚さ方向（図１５（ａ）の上下方向）における略中心線上で、スライド方向の前後両端に設けると共に、第２ガイド片５ｂを、ハウジング１の前記一対の両側面の厚さ方向の端部で、スライド方向の略中心に設けてもよい。
【００３９】
なお、図１４において、第１ガイド片５ａは、操作レバー１０ｂの周囲となるハウジング１の側面から延出され、コネクタ一体型スイッチＢを取付部材７０に取り付けた際に、第１ガイド片５ａが取付部材７０と第１ガイド片５ａとの間に位置するように、スイッチ機構１０の操作レバー１０ｂの周囲にまで延伸されている。この場合、第１ガイド片５ａにより、コネクタ一体型スイッチＢの取付部材７０への装着時に操作レバー１０ｂに外力が加わるのを防止でき、操作レバー１０ｂを保護することができる。
【００４０】
また、図１４において、取付部材７０は、コネクタ一体型スイッチＢが装着される側の側縁に、スライドガイド部５を誘い込むテーパー面（テーパー部）７３を有する。テーパー面７３を設けることで、取付部材７０にコネクタ一体型スイッチＢをスライドさせる際に、取付部材７０（凹部７１）にコネクタ一体型スイッチＢが誘導され、コネクタ一体型スイッチＢをより一層取り付けやすくなる。
【００４１】
上記のように、本発明の技術的思想に反することなしに、広範に異なる実施形態を構成することができることは明白なので、この発明は、請求の範囲において限定した以外は、その特定の実施形態に制約されるものではない。
【図面の簡単な説明】
【００４２】
【図１】本発明の実施形態１に係るコネクタ一体型スイッチを示す図であり、（ａ）は上面図、（ｂ）は側面図、（ｃ）は正面図、（ｄ）は他方の側面図、（ｅ）は下面図である。
【図２】同上のコネクタ一体型スイッチと、その取付部材を示す図である。
【図３】図２の取付部材に図２のコネクタ一体型スイッチを取り付けた状態を示す図であり、（ａ）は上面図、（ｂ）は正面図、（ｃ）は下面図である。
【図４】図１のコネクタ一体型スイッチが取り付けられる場所の一例を説明するための図である。
【図５】図１のコネクタ一体型スイッチのハウジングを成形するための金型を示す図である。
【図６】図５の金型で成形された図１のコネクタ一体型スイッチハウジングの原型を示す図であり、（ａ）は下面図、（ｂ）は正面図、（ｃ）は上面図、（ｄ）は側面図である。
【図７】図６に示したハウジングの原型から不要部分を除去して形成された、図１のコネクタ一体型スイッチのハウジングを示す図であり、（ａ）は下面図、（ｂ）は側面図である。
【図８】本発明の実施形態２に係るコネクタ一体型スイッチを示す図である。
【図９】図８のコネクタ一体型スイッチと、その取付部材を示す図である。
【図１０】図９の取付部材に図９のコネクタ一体型スイッチを取り付けた状態を示す図であり、（ａ）正面図、（ｂ）は下面図である。
【図１１】図８のコネクタ一体型スイッチのハウジングを成形するための金型を示す図である。
【図１２】図１１の金型で成形された図８のコネクタ一体型スイッチハウジングの原型を示す図であり、（ａ）正面図、（ｂ）は下面図、（ｃ）は側面図である。
【図１３】図１２に示したハウジングの原型から不要部分を除去して形成された、図８のコネクタ一体型スイッチのハウジングを示す図である。
【図１４】図８のコネクタ一体型スイッチの他の構成、およびその取付部材の一例を示す図である。
【図１５】図１４の取付部材に図１４のコネクタ一体型スイッチを取り付けた状態を示す図であり、（ａ）正面図、（ｂ）は下面図、（ｃ）は側面図である。
【図１６】ハーネスを介してコネクタと接続された従来のスイッチを示す図である。
【図１７】図１６の構成から単純にハーネスを省き、スイッチとコネクタとを一体化した図である。
【符号の説明】
【００４３】
１  ハウジング
２  スライドガイド部
２ａ  ガイド片
３  爪部
５  スライドガイド部
５ａ  第１ガイド片
５ｂ  第２ガイド片
６  爪部
１０  スイッチ機構
１２  コネクタ
５０  取付部材
６１  上金型
６２  下金型
７０  取付部材
【図１】
2007258098.tif 000003
【図２】
2007258098.tif 000004
【図３】
2007258098.tif 000005
【図４】
2007258098.tif 000006
【図５】
2007258098.tif 000007
【図６】
2007258098.tif 000008
【図７】
2007258098.tif 000009
【図８】
2007258098.tif 000010
【図９】
2007258098.tif 000011
【図１０】
2007258098.tif 000012
【図１１】
2007258098.tif 000013
【図１２】
2007258098.tif 000014
【図１３】
2007258098.tif 000015
【図１４】
2007258098.tif 000016
【図１５】
2007258098.tif 000017
【図１６】
2007258098.tif 000018
【図１７】
2007258098.tif 000019